(57)【要約】【課題】外部装置へ接続された直後の処理コストを減少させること。【解決手段】本発明にかかる記録媒体は、複数の記憶領域を有し、外部装置に接続される記録媒体であって、外部装置に接続された以後の経過時間を計測する経過時間計測手段と、経過時間に基づき、複数の記憶領域の内、外部装置に次回接続された際に当該外部装置からのアクセス対象とする１以上の記憶領域を次回アクセス対象として決定する決定手段と、外部装置へ接続された場合に、次回アクセス対象の記憶領域を当該外部装置からのアクセス対象として設定するアクセス設定手段と、を備える。【選択図】図１
2011100373.tif 000002
【特許請求の範囲】
【請求項１】
複数の記憶領域を有し、外部装置に接続される記録媒体であって、
前記外部装置に接続された以後の経過時間を計測する経過時間計測手段と、
前記経過時間に基づき、前記複数の記憶領域の内、前記外部装置に次回接続された際に当該外部装置からのアクセス対象とする１以上の記憶領域を次回アクセス対象として決定する決定手段と、
前記外部装置へ接続された場合に、前記次回アクセス対象の記憶領域を当該外部装置からのアクセス対象として設定するアクセス設定手段と、
を備える記録媒体。
【請求項２】
前記決定手段は、前記経過時間が所定時間を超える場合、当該外部装置からの現在のアクセス対象である記憶領域を前記次回アクセス対象として決定し、前記経過時間が所定時間未満である場合、前記複数の記憶領域の内、当該外部装置からの現在のアクセス対象以外の記憶領域を前記次回アクセス対象として決定することを特徴とする請求項１に記載の記録媒体。
【請求項３】
前記記録媒体は、
前記複数の記憶領域の内、２以上の記憶領域を前記外部装置にアクセス可能に起動するための一括起動情報を格納する記憶手段をさらに備え、
前記アクセス設定手段は、当該外部装置からのアクセス対象である記憶領域が２以上である場合、前記記憶手段に格納された一括起動情報を用いて、前記２以上の記憶領域を当該外部装置からのアクセス対象として設定することを特徴とする請求項１又は２に記載の記録媒体。
【請求項４】
前記記録媒体は、
記憶領域への書き込みの可否を切り替える書込み可否スイッチをさらに備え、
前記アクセス設定手段は、前記書込み可否スイッチが書き込み可を示す場合、前記記憶手段に格納された一括起動情報を用いて、前記２以上の記憶領域を書き込み可能に設定し、前記書込み可否スイッチが書き込み不可を示す場合、前記次回アクセス対象の記憶領域に格納された当該記憶領域を起動するための起動情報を用いて、当該次回アクセス対象の記憶領域を当該外部装置から参照可能に設定することを特徴とする請求項３に記載の記録媒体。
【請求項５】
前記経過時間計測手段は、前記経過時間が所定時間を超える場合、前記経過時間をリセットし、当該リセット時点からの経過時間を計測し、
前記決定手段は、前記経過時間が所定時間を超える場合、直前に決定した記憶領域以外の記憶領域を前記次回アクセス対象として決定することを特徴とする請求項１乃至４のいずれか１項に記載の記録媒体。
【請求項６】
前記記録媒体は、前記次回アクセス対象である記憶領域を識別する情報を表示する表示手段をさらに備えることを特徴とする請求項１乃至５のいずれか１項に記載の記録媒体。
【請求項７】
複数の記憶領域を有し、外部装置に接続される記録媒体の記憶領域切り替え方法であって、
前記外部装置へ接続された場合に、前記複数の記憶領域の内、１以上の記憶領域を当該外部装置からのアクセス対象として設定するアクセス設定ステップと、
前記外部装置に接続された以後の経過時間を計測する経過時間計測ステップと、
前記経過時間に基づき、前記複数の記憶領域の内、前記外部装置に次回接続された際に当該外部装置からのアクセス対象とする１以上の記憶領域を次回アクセス対象として決定する決定ステップと、
を含む記録媒体の記憶領域切り替え方法。
【請求項８】
前記決定ステップは、前記経過時間が所定時間を超える場合、当該外部装置からの現在のアクセス対象である記憶領域を前記次回アクセス対象として決定し、前記経過時間が所定時間未満である場合、前記複数の記憶領域の内、当該外部装置からの現在のアクセス対象以外の記憶領域を前記次回アクセス対象として決定することを特徴とする請求項７に記載の記録媒体の記憶領域切り替え方法。
【請求項９】
前記記録媒体は、
前記複数の記憶領域の内、２以上の記憶領域を前記外部装置にアクセス可能に起動するための一括起動情報を格納する記憶部をさらに備え、
前記アクセス設定ステップは、当該外部装置からのアクセス対象である記憶領域が２以上である場合、前記記憶部に格納された一括起動情報を用いて、前記２以上の記憶領域を当該外部装置からのアクセス対象として設定することを特徴とする請求項７又は８に記載の記録媒体の記憶領域切り替え方法。
【請求項１０】
前記記録媒体は、
記憶領域への書き込みの可否を切り替える書込み可否スイッチをさらに備え、
前記アクセス設定ステップは、前記書込み可否スイッチが書き込み可を示す場合、前記記憶部に格納された一括起動情報を用いて、前記２以上の記憶領域を書き込み可能に設定し、前記書込み可否スイッチが書き込み不可を示す場合、前記次回アクセス対象の記憶領域に格納された当該記憶領域を起動するための起動情報を用いて、当該次回アクセス対象の記憶領域を当該外部装置から参照可能に設定することを特徴とする請求項９に記載の記録媒体の記憶領域切り替え方法。
【請求項１１】
前記経過時間計測ステップは、前記経過時間が所定時間を超える場合、前記経過時間をリセットし、当該リセット時点からの経過時間を計測し、
前記決定ステップは、前記経過時間が所定時間を超える場合、直前に決定した記憶領域以外の記憶領域を前記次回アクセス対象として決定することを特徴とする請求項７乃至１０のいずれか１項に記載の記録媒体の記憶領域切り替え方法。
【請求項１２】
前記次回アクセス対象である記憶領域を識別する情報を表示する表示ステップをさらに備えることを特徴とする請求項７乃至１１のいずれか１項に記載の記録媒体の記憶領域切り替え方法。
【発明の詳細な説明】
【技術分野】
【０００１】
本発明は、記録媒体及び記録媒体の記憶領域切り替え方法に関し、特に、複数の記録領域を備える記録媒体及び記録媒体の記憶領域切り替え方法に関する。
【背景技術】
【０００２】
特許文献１には、大容量記録媒体を既存の記録再生装置で利用するための記録媒体に関する技術が開示されている。特許文献１にかかる記録媒体は、複数の記憶領域に分割された記憶手段を持ち、記録媒体への通電を遮断された時間間隔によって、記憶領域を切り替えるものである。特に、特許文献１にかかる記録媒体は、当該記録媒体が記録再生装置から抜き出された後、再度挿入されるまでの経過時間を、電源オフ時のコンデンサと抵抗の過渡現象から判断する。すなわち、通電が遮断された遮断時間を再度挿入されて測定された時点での電圧から判断するものである。そして、測定された電圧が閾値未満である場合、遮断時間が十分に長いと判断し、ディスクの切り替えを行わない。一方、測定された電圧が閾値以上である場合、遮断時間が短いと判断し、ディスクの切り替えを行う。
【先行技術文献】
【特許文献】
【０００３】
【特許文献１】特開２００６−１３９５５０号公報
【発明の概要】
【発明が解決しようとする課題】
【０００４】
しかしながら、特許文献１には、記録媒体が記録再生装置へ挿入された際に、通電の遮断時間を検出することにより、ディスクの切り替えを行うか否かの判定を行うため、実際にディスクが選択される前の処理コストが大きくなるという問題がある。
【課題を解決するための手段】
【０００５】
本発明の第１の態様にかかる記録媒体は、複数の記憶領域を有し、外部装置に接続される記録媒体であって、前記外部装置に接続された以後の経過時間を計測する経過時間計測手段と、前記経過時間に基づき、前記複数の記憶領域の内、前記外部装置に次回接続された際に当該外部装置からのアクセス対象とする１以上の記憶領域を次回アクセス対象として決定する決定手段と、前記外部装置へ接続された場合に、前記次回アクセス対象の記憶領域を当該外部装置からのアクセス対象として設定するアクセス設定手段と、を備える。
【０００６】
本発明の第２の態様にかかる記録媒体の記憶領域切り替え方法は、複数の記憶領域を有し、外部装置に接続される記録媒体の記憶領域切り替え方法であって、前記外部装置へ接続された場合に、前記複数の記憶領域の内、１以上の記憶領域を当該外部装置からのアクセス対象として設定するアクセス設定ステップと、前記外部装置に接続された以後の経過時間を計測する経過時間計測ステップと、前記経過時間に基づき、前記複数の記憶領域の内、前記外部装置に次回接続された際に当該外部装置からのアクセス対象とする１以上の記憶領域を次回アクセス対象として決定する決定ステップと、を含む。
【０００７】
上述したように、本発明の実施の形態１及び２では、記録媒体が外部装置へ接続された時点でアクセス対象とする記憶領域を、記録媒体が外部装置へ接続されるより前に決定しておくことで、実際に記憶領域が選択される前の処理コストを抑えることができる。
【発明の効果】
【０００８】
本発明により、外部装置へ接続された直後の処理コストを減少させるための複数の記憶領域を有する記録媒体及び記録媒体の記憶領域切り替え方法を提供することができる。
【図面の簡単な説明】
【０００９】
【図１】本発明の実施の形態１にかかる記録媒体の構成を示すブロック図である。
【図２】本発明の実施の形態１にかかる記録媒体の記憶領域切り替え方法の流れを示すフローチャートである。
【図３】本発明の実施の形態２にかかる記録媒体の構成を示すブロック図である。
【図４】本発明の実施の形態２にかかるディスクの内部構成の例を示すブロック図である。
【図５】本発明の実施の形態２にかかる記録媒体の記憶領域切り替え方法の流れを示すフローチャートである。
【図６】本発明の実施の形態２にかかる記録媒体を上限時間経過前に出し入れした場合における決定されるディスクの変化を示すタイミングチャートである。
【図７】本発明の実施の形態２にかかる記録媒体を上限時間経過後に出し入れした場合における決定されるディスクの変化を示すタイミングチャートである。
【図８】本発明の実施の形態３にかかる記録媒体の構成を示すブロック図である。
【図９】本発明の実施の形態３にかかる一括起動情報の内部構成を示すブロック図である。
【図１０】本発明の実施の形態３にかかる記録媒体をプロテクトオフの場合に出し入れした場合における決定されるディスクの変化を示すタイミングチャートである。
【図１１】本発明の実施の形態４にかかる記録媒体の構成を示すブロック図である。
【図１２】本発明の実施の形態４にかかる次回アクセス対象ディスクの表示例を示す図である。
【図１３】本発明の実施の形態５にかかる記録媒体の構成を示すブロック図である。
【図１４】本発明の実施の形態６にかかる記録媒体の記憶領域切り替え方法の流れを示すフローチャートである。
【図１５】本発明の実施の形態６にかかる次回アクセス対象ディスクの表示の変化例を示す図である。
【発明を実施するための形態】
【００１０】
以下では、本発明を適用した具体的な実施の形態について、図面を参照しながら詳細に説明する。各図面において、同一要素には同一の符号が付されており、説明の明確化のため、必要に応じて重複説明は省略する。
【００１１】
＜発明の実施の形態１＞
図１は、本発明の実施の形態１にかかる記録媒体１の構成を示すブロック図である。記録媒体１は、複数の記憶領域１１ａ、１１ｂ、・・・及び１１ｎと、経過時間計測手段１２と、決定手段１３と、アクセス設定手段１４とを有し、外部装置２に接続される。
【００１２】
経過時間計測手段１２は、記録媒体１が外部装置２に接続された以後の経過時間を計測する。例えば、経過時間計測手段１２は、記録媒体１が外部装置２に接続された場合に、経過時間の計測を開始する。そして、経過時間計測手段１２は、経過時間が所定の時間を超えた場合に、決定手段１３へその旨を通知する。または、経過時間計測手段１２は、記録媒体１が外部装置２から取り出された場合に、経過時間の計測を終了する。
【００１３】
決定手段１３は、経過時間に基づき、複数の記憶領域１１ａ乃至１１ｎの内、記録媒体１が外部装置２に次回接続された際に外部装置２からのアクセス対象とする１以上の記憶領域を次回アクセス対象として決定する。例えば、決定手段１３は、以下のように次回アクセス対象を決定するとよい。まず、記録媒体１が外部装置２に接続された場合に、決定手段１３は、現在のアクセス対象である記憶領域以外の記憶領域を特定する情報を不揮発性メモリ（不図示）に書き込む。そして、経過時間計測手段１２により計測された経過時間が所定の時間を超えた旨の通知を受けたときに、決定手段１３は、現在のアクセス対象である記憶領域を特定する情報を不揮発性メモリに書き込む。このとき、経過時間が所定の時間を超えた旨の通知を受ける前に記録媒体１が外部装置２から取り出されると、決定手段１３は、現在のアクセス対象である記憶領域を特定する情報を不揮発性メモリに書き込みを行わない。すなわち、記録媒体１が外部装置２から取り出された時点の経過時間が所定の時間を超えていたか否かにより、不揮発性メモリに格納された情報を異なるものとすることができる。この場合、記録媒体１が外部装置２から取り出された後に、記録媒体１は、不揮発性メモリへの書き込みを行うための電源を必要としないため、安全性を確保することができる。
【００１４】
または、記録媒体１は、記録媒体１が外部装置２から取り出された以後に揮発性メモリ（不図示）への書き込みを行えるように、別途、揮発性メモリを保持するための容量の大きなコンデンサ等を利用することも考えられる。その場合、決定手段１３は、以下のように次回アクセス対象を決定してもよい。まず、記録媒体１が外部装置２から取り出された場合に、決定手段１３は、経過時間計測手段１２により計測された経過時間が所定の時間を超えるか否かを判定する。そして、当該経過時間が所定の時間未満である場合に、決定手段１３は、現在のアクセス対象である記憶領域以外の記憶領域を特定する情報を揮発性メモリに書き込む。一方、当該経過時間が所定の時間以上である場合に、決定手段１３は、現在のアクセス対象である記憶領域を特定する情報を揮発性メモリに書き込む。
【００１５】
アクセス設定手段１４は、記録媒体１が外部装置２へ接続された場合に、次回アクセス対象の記憶領域を外部装置２からのアクセス対象として設定する。例えば、アクセス設定手段１４は、上述した不揮発性メモリ又は揮発性メモリに格納された情報、つまり、記憶領域を特定する情報に示される記憶領域を外部装置２からのアクセス対象として設定する。
【００１６】
図２は、本発明の実施の形態１にかかる記録媒体１の記憶領域切り替え方法の流れを示すフローチャートである。まず、アクセス設定手段１４は、外部装置２へ接続された場合に、複数の記憶領域１１ａ乃至１１ｎの内、１以上の記憶領域を外部装置２からのアクセス対象として設定する（Ｓ１１）。
【００１７】
次に、経過時間計測手段１２は、外部装置２に接続された以後の経過時間を計測する（Ｓ１２）。例えば、経過時間計測手段１２は、記録媒体１が外部装置２に接続された場合に、経過時間の計測を開始する。
【００１８】
そして、決定手段１３は、経過時間に基づき、複数の記憶領域１１ａ乃至１１ｎの内、外部装置２に次回接続された際に外部装置２からのアクセス対象とする１以上の記憶領域を次回アクセス対象として決定する（Ｓ１３）。例えば、記録媒体１が外部装置２に接続された場合に、決定手段１３は、現在のアクセス対象である記憶領域以外の記憶領域を特定する情報を不揮発性メモリに書き込む。そして、経過時間計測手段１２は、経過時間が所定の時間を超えた場合に、決定手段１３へその旨を通知する。そして、決定手段１３は、経過時間計測手段１２からの通知を受けたときに、現在のアクセス対象である記憶領域を特定する情報を不揮発性メモリに書き込む。または、記録媒体１が外部装置２から取り出された場合に、経過時間計測手段１２は、経過時間の計測を終了する。その後、決定手段１３は、経過時間計測手段１２により計測された経過時間が所定の時間を超えるか否かを判定する。そして、当該経過時間が所定の時間未満である場合に、決定手段１３は、現在のアクセス対象である記憶領域以外の記憶領域を特定する情報を不揮発性メモリに書き込み、当該経過時間が所定の時間以上である場合に、現在のアクセス対象である記憶領域を特定する情報を不揮発性メモリに書き込む。
【００１９】
これにより、記録媒体１が外部装置２から一旦、取り出された後に、再度、外部装置２に接続された場合、アクセス設定手段１４は、ステップＳ１３において決定された次回アクセス対象の記憶領域を、外部装置２からのアクセス対象として設定する。つまり、アクセス設定手段１４は、外部装置へ接続された直後にアクセス対象を選択するために複雑な処理を行う必要がない。このように、本発明の実施の形態１により、外部装置へ接続された直後の処理コストを減少させることができる。
【００２０】
＜発明の実施の形態２＞
図３は、本発明の実施の形態２にかかる記録媒体１０の構成を示すブロック図である。記録媒体１０は、例えば、ＳＤ（Secure Digital）カードのような大容量の複数のディスクを有し、コンピュータやデジタルカメラ等の外部装置と接続可能な記録媒体である。尚、図３において、記録媒体が備える一般的な構成要素については公知であるため、図示及び説明を省略する。尚、以下では、記録媒体１０と接続される外部装置が図１に示した外部装置２であるものとして説明する。また、記録媒体１０は、外部装置２に接続されることにより、外部装置２から電源が供給されて各種動作を行うものである。
【００２１】
記録媒体１０は、端子１１０、外部装置接続検出手段１２０、経過時間計測手段１３０、記憶手段１４０、ディスク切り替え手段１５０、ディスク管理手段１６０、ディスク１７１乃至１７４を備える。
【００２２】
端子１１０は、外部装置２と接続される端子であり、例えば、ＣＤ／ＤＡＴ３である。外部装置接続検出手段１２０は、インタフェースドライバであり、記録媒体１０が外部装置２に接続されているか否かを端子１１０により検知する。すなわち、外部装置接続検出手段１２０は、記録媒体１０の外部装置２への出し入れを端子１１０により検知する。そして、外部装置接続検出手段１２０は、検知した旨をディスク切り替え手段１５０へ通知する。
【００２３】
ディスク１７１乃至１７４は、外部装置２からのアクセス対象となり得る記憶領域である。ディスク１７１乃至１７４は、例えば、フラッシュメモリである。図４は、本発明の実施の形態２にかかるディスクの内部構成の例を示すブロック図である。尚、図４では、ディスク１７１乃至１７４の内、代表してディスク１７１の内部構成について説明するが、ディスク１７２乃至１７４についても同等であるため図示及び詳細な説明を省略する。尚、本発明の実施の形態２にかかるディスクの数は、これに限定されず、少なくとも２以上であるとよい。
【００２４】
ディスク１７１は、マスターブートレコードパーティションテーブル２０１、パーティションブートセクタ２０２、ファイルアロケーションテーブルＡ２０３、ファイルアロケーションテーブルＢ２０４、ルートディレクトリ２０５及びデータ領域２０６を備える。マスターブートレコードパーティションテーブル２０１は、当該ディスクの起動ソフトウェアやパーティションに関する定義を格納する領域である。パーティションブートセクタ２０２は、当該ディスクが複数のパーティションに区分されている場合に、どのパーティションにより起動させるのかを示す情報を格納する領域である。また、マスターブートレコードパーティションテーブル２０１及びパーティションブートセクタ２０２は、ディスク１７１を起動するために必要な起動情報２０７である。マスターブートレコードパーティションテーブル２０１に定義されたパーティションは、ファイル単位の情報があり、当該情報は、ファイルアロケーションテーブルＡ２０３、ファイルアロケーションテーブルＢ２０４及びルートディレクトリ２０５を構成している。ファイルアロケーションテーブルＡ２０３、ファイルアロケーションテーブルＢ２０４及びルートディレクトリ２０５は、データ領域２０６を管理している。
【００２５】
ファイルアロケーションテーブルＡ２０３及びＢ２０４は、任煮のパーティション内のフォルダ名、ファイル名、作成日時及びファイル自体の大きさ等を示す情報を格納する領域である。そして、ファイルアロケーションテーブルＡ２０３及びＢ２０４には、ファイルの実態がデータ領域２０６のどこに割り当てているかを示す各ファイルのチェーン情報が格納される。また、ファイルアロケーションテーブルＡ２０３及びＢ２０４は、同一の内容を多重化させて格納するための領域である。そのため、当該ディスクへの書きこみ動作中に電源が切られた場合、ファイルアロケーションテーブルＡ２０３又はＢ２０４の一方が故障したとしても、他方によりディスクの修復を可能とするものである。
【００２６】
ルートディレクトリ２０５は、最上位のフォルダ及びファイルを示す情報が格納される領域である。尚、ルートディレクトリ２０５は、当該ディスクが複数のパーティションに分割されていなければ、いわゆる起動ディスクのフォルダ及びファイルを示す情報のみが格納される。また、当該ディスクが複数のパーティションに分割されている場合、パーティション毎の最上位のフォルダ及びファイルを示す情報が格納される。
【００２７】
データ領域２０６は、ファイルアロケーションテーブルＡ２０３及びＢ２０４で管理されている各ファイルの本体を格納する領域である。尚、ディスク１７１の内、ファイルアロケーションテーブルＡ２０３及びＢ２０４以外の領域については、ディスクのフォーマット時に決定され、ファイル及びフォルダの書き換え時には、領域の範囲が変更されない。
【００２８】
経過時間計測手段１３０は、記録媒体１０内のマイコンのタイマを利用して電源投入後から任意の時間を検知する。すなわち、経過時間計測手段１３０は、記録媒体１０が外部装置２に接続された以後の経過時間を計測する。そして、経過時間計測手段１３０は、タイマにより所定の間隔で経過時間をディスク切り替え手段１５０へ通知する。具体的には、まず、電源投入時、経過時間計測手段１３０は、タイマ値を０にして、タイマを開始する。そして、経過時間計測手段１３０は、ポーリングや割り込みを使用することによりタイマ値を検知する。ポーリングを使用する場合、経過時間計測手段１３０は、任意の制御プログラムによりタイマ値を読み、タイマ値が任意の値を超えるか否かを判定し、超えた場合にディスク切り替え手段１５０へ通知する。また、割り込みを使用する場合、経過時間計測手段１３０は、タイマ値が任意の値になったら、割り込みを発生させ、特定の番地にとび、割り込み処理を実行する。そして、割り込み処理によりディスク切り替え手段１５０へ通知する。
【００２９】
記憶手段１４０は、記録媒体１０の内部で用いるデータを格納する記憶装置である。記憶手段１４０は、不揮発性の記憶装置であればよい。記憶手段１４０は、現在ディスク番号１４１、次回ディスク番号１４２、上限ディスク番号１４３、下限ディスク番号１４４及び切替上限時間１４５を格納する。現在ディスク番号１４１は、外部装置２に対して現時点でアクセス対象として提供しているディスク１７１乃至ディスク１７４のいずれかを示す情報である。例えば、本発明の実施の形態２では、説明の便宜上、ディスク１７１乃至ディスク１７４をそれぞれ、「１」〜「４」の番号に対応付ける。次回ディスク番号１４２は、記録媒体１が外部装置２に次回接続された際に、ディスク１７１乃至ディスク１７４の内、アクセスを許容するディスクを示す情報である。上限ディスク番号１４３は、記録媒体１０が備える記憶領域の数の上限値である。ここでは、上限ディスク番号１４３は、「４」である。下限ディスク番号１４４は、記録媒体１０が備える記憶領域の数の下限値である。ここでは、下限ディスク番号１４４は、「１」である。尚、ディスク１７１乃至ディスク１７４は、「１」〜「４」以外の番号に対応付けられても構わない。但し、ここでは、ディスク１７１乃至ディスク１７４に対応付けられた番号は、１刻みの連番であるものとする。この場合、上限ディスク番号１４３及び下限ディスク番号１４４は、適宜、ディスク１７１乃至ディスク１７４に対応付けられた上限の番号及び下限の番号であればよい。切替上限時間１４５は、経過時間の上限値である。本発明の実施の形態２にかかる記録媒体１０は、外部装置２から取り出されるまでの経過時間が切替上限時間１４５未満である場合に、次回接続された際に外部装置２へのアクセス対象となるディスクを切り替える。そのため、経過時間の上限値は、ディスクを切り替えるための上限時間といえる。
【００３０】
ディスク切り替え手段１５０は、外部装置接続検出手段１２０及び経過時間計測手段１３０からの通知に基づき、記憶手段１４０を参照し、現在ディスク番号１４１又は次回ディスク番号１４２を更新する。また、ディスク切り替え手段１５０は、現在ディスク番号１４１をディスク管理手段１６０に通知する。
【００３１】
例えば、ディスク切り替え手段１５０は、外部装置接続検出手段１２０により記録媒体１０が外部装置２に接続されたことが通知された場合、次回ディスク番号１４２を現在ディスク番号１４１へ格納し、現在ディスク番号１４１をディスク管理手段１６０へ通知する。すなわち、ディスク切り替え手段１５０は、外部装置２へ接続された場合に、実質的に次回ディスク番号１４２が示すディスクに対して外部装置２へのアクセス対象として設定を指示する。
【００３２】
また、ディスク切り替え手段１５０は、経過時間計測手段１３０からの経過時間と切替上限時間１４５とを比較し、次回ディスク番号１４２を更新する。すなわち、ディスク切り替え手段１５０は、経過時間に基づき、ディスク１７１乃至１７４の内、外部装置２に次回接続された際に外部装置２からのアクセス対象とするディスク番号を次回アクセス対象として決定する。
【００３３】
ディスク管理手段１６０は、ディスク切り替え手段１５０から通知された現在ディスク番号１４１に対応するディスクをディスク１７１乃至１７４の中から選択し、外部装置２からアクセス可能に設定する。
【００３４】
図５は、本発明の実施の形態２にかかる記録媒体の記憶領域切り替え方法の流れを示すフローチャートである。ここでは、記録媒体１０が外部装置２に接続されたことにより、電源が投入された状態とする。
【００３５】
まず、ディスク切り替え手段１５０は、現在ディスク番号１４１を次回ディスク番号１４２の値で更新する（Ｓ２１）。具体的には、ディスク切り替え手段１５０は、記憶手段１４０から次回ディスク番号１４２を読み出し、次回ディスク番号１４２の値で現在ディスク番号１４１を上書きする。
【００３６】
次に、ディスク切り替え手段１５０は、現在ディスク番号１４１をディスク管理手段１６０へ通知する（Ｓ２２）。具体的には、ディスク切り替え手段１５０は、記憶手段１４０から現在ディスク番号１４１を読み出し、読み出した現在ディスク番号１４１の値をディスク管理手段１６０へ通知する。
【００３７】
その後、ディスク管理手段１６０は、現在ディスク番号１４１に対応するディスクを選択する。そして、ディスク管理手段１６０は、選択したディスクを外部装置２に対してアクセス可能に設定する。例えば、ディスク１７１が選択された場合、ディスク管理手段１６０は、ディスク１７１の起動情報２０７を読み出し、ディスク１７１を起動する。
【００３８】
これにより、外部装置２は、ディスク１７１に対してアクセス可能となる。つまり、外部装置２は、ディスク１７１乃至１７４の内、ディスク１７１のみを認識する。そして、記録媒体１０は、外部装置２からファイルアロケーションテーブルＡ２０３、ファイルアロケーションテーブルＢ２０４及びルートディレクトリ２０５に基づき指定されたアドレスのデータをデータ領域２０６から読み出し又は書き込みを行う。
【００３９】
続いて、ディスク切り替え手段１５０は、次回ディスク番号１４２を現在ディスク番号１４１＋１の値で更新する（Ｓ２３）。具体的には、ディスク切り替え手段１５０は、記憶手段１４０から現在ディスク番号１４１を読み出し、現在ディスク番号１４１に１を加算した値で次回ディスク番号１４２を上書きする。尚、ディスク１７１乃至ディスク１７４に対応付けられた番号が、１刻みの連番でない場合、例えば、「１０」「２０」「３０」「４０」等である場合、ステップＳ２３において、ディスク切り替え手段１５０は、次回ディスク番号１４２を現在ディスク番号１４１＋１０の値で更新することとなる。
【００４０】
そして、ディスク切り替え手段１５０は、次回ディスク番号１４２が上限ディスク番号１４３より大きいか否かを判定する（Ｓ２４）。具体的には、ディスク切り替え手段１５０は、記憶手段１４０を参照し、次回ディスク番号１４２と上限ディスク番号１４３とを比較する。
【００４１】
ステップＳ２４において、次回ディスク番号１４２が上限ディスク番号１４３より大きいと判定した場合、ディスク切り替え手段１５０は、次回ディスク番号１４２を下限ディスク番号１４４の値で更新する（Ｓ２５）。具体的には、ディスク切り替え手段１５０は、記憶手段１４０から下限ディスク番号１４４を読み出し、下限ディスク番号１４４の値で次回ディスク番号１４２を上書きする。
【００４２】
その後、ディスク切り替え手段１５０は、タイマにより所定時間待機する（Ｓ２６）。そして、ディスク切り替え手段１５０は、外部装置接続検出手段１２０から記録媒体１０が外部装置２から取り出されたか否かを確認する（Ｓ２７）。記録媒体１０が外部装置２から取り出された場合、処理を終了する。これにより、この時点の次回ディスク番号１４２が、次回のアクセス対象となる。
【００４３】
尚、ステップＳ２７は、本発明の作用を説明するために、便宜上、含めているが、この位置に実行しなくてもよい。いずれにしても、記録媒体１０が外部装置２から取り出された場合に、電源の供給がなくなるため、次回ディスク番号１４２が確定することとなる。
【００４４】
ステップＳ２７において、記録媒体１０が外部装置２から取り出されていないと確認された場合、ディスク切り替え手段１５０は、経過時間が切替上限時間１４５以上であるか否かを判定する（Ｓ２８）。具体的には、ディスク切り替え手段１５０は、経過時間計測手段１３０から経過時間を通知され、記憶手段１４０から切替上限時間１４５を読み出し、経過時間と切替上限時間１４５とを比較する。
【００４５】
ステップＳ２８において、経過時間が切替上限時間１４５未満であると判定した場合、ステップＳ２６へ戻る。ステップＳ２８において、経過時間が切替上限時間１４５以上であると判定した場合、ディスク切り替え手段１５０は、次回ディスク番号１４２を次回ディスク番号１４２−１の値で更新する（Ｓ２９）。具体的には、ディスク切り替え手段１５０は、記憶手段１４０から次回ディスク番号１４２を読み出し、次回ディスク番号１４２から１を減算した値で次回ディスク番号１４２を上書きする。
【００４６】
その後、ディスク切り替え手段１５０は、次回ディスク番号１４２が下限ディスク番号１４４より小さいか否かを判定する（Ｓ３０）。次回ディスク番号１４２が下限ディスク番号１４４より小さいと判定した場合、ディスク切り替え手段１５０は、次回ディスク番号１４２を上限ディスク番号１４３の値で更新する（Ｓ３１）。その後、処理を終了する。
【００４７】
つまり、ディスク切り替え手段１５０は、経過時間が切替上限時間１４５以上である場合、外部装置２からの現在のアクセス対象である現在ディスク番号１４１を次回アクセス対象として決定する。一方、ディスク切り替え手段１５０は、経過時間が切替上限時間１４５未満である場合、ディスク１７１乃至１７４の内、外部装置２からの現在のアクセス対象以外の記憶領域を次回アクセス対象として決定する。すなわち、ディスク切り替え手段１５０は、経過時間が切替上限時間１４５に満たない場合、次回ディスク番号１４２を現在ディスク番号１４１とは異なる値に決定したこととなる。尚、ステップＳ２８において、ディスク切り替え手段１５０は、経過時間が切替上限時間１４５を超えるか否かを判定するようにしてもよい。すなわち、経過時間と切替上限時間１４５とが等しい場合についてステップＳ２８のＹＥＳとするかＮＯとするかは、いずれであっても構わない。
【００４８】
図６は、本発明の実施の形態２にかかる記録媒体を上限時間経過前に出し入れした場合における決定されるディスクの変化を示すタイミングチャートである。ここでは、時刻ｔａに、記録媒体１０が外部装置２に挿入され、時刻ｔｃ、ｔｆ及びｔｇに、記録媒体１０が外部装置２に対して出し入れされたものとする。つまり、アクセス対象がディスク１７１、１７２、１７３、１７４の順に切り替わることを示す。また、時刻ｔａにおいて、次回ディスク番号１４２は、「１」であるものとする。また、以下の説明では、説明の便宜上、ディスク１７１からディスク１７２へ切り替わる部分を中心に説明する。
【００４９】
まず、時刻ｔａにおいて、ディスク切り替え手段１５０は、現在ディスク番号１４１を「１」に更新する（Ｓ２１）。そのため、ディスク１７１が外部装置２のアクセス対象となる（Ｓ２２）。また、並行して、経過時間計測手段１３０は、経過時間の計測を開始する。このとき、時刻ｔａに切替上限時間１４５を加算した時刻ｔｅまでの切替時間帯Ｌ１が定まる。そして、時刻ｔｂにおいて、ディスク切り替え手段１５０は、次回ディスク番号１４２を「２」に更新する（Ｓ２３）。
【００５０】
その後、時刻ｔｃにおいて、記録媒体１０が出し入れされたものとする。ここで、時刻ｔｃは、切替時間帯Ｌ１に含まれるため、記録媒体１０が再度挿入された時点での次回ディスク番号１４２は、「２」である。そのため、ディスク切り替え手段１５０は、現在ディスク番号１４１を次回ディスク番号１４２の値である「２」に更新する（Ｓ２１）。そのため、ディスク１７２が外部装置２のアクセス対象となる（Ｓ２２）。また、並行して、経過時間計測手段１３０は、経過時間を一旦リセットして、時刻ｔｃから計測を開始する。このとき、時刻ｔｃに切替上限時間１４５を加算した時刻までの切替時間帯Ｌ２が定まる。そして、時刻ｔｄにおいて、ディスク切り替え手段１５０は、次回ディスク番号１４２を３に更新する（Ｓ２３）。
【００５１】
以降、記録媒体１０が出し入れされる時刻ｔｆ、時刻ｔｇ及びｔｈは、それぞれ切替時間帯Ｌ２、Ｌ３及びＬ４に含まれるため、都度、アクセス対象が異なるディスクへと切り替わる。
【００５２】
図７は、本発明の実施の形態２にかかる記録媒体を上限時間経過後に出し入れした場合における決定されるディスクの変化を示すタイミングチャートである。ここでは、時刻ｔｉに、記録媒体１０が外部装置２に挿入され、時刻ｔｌ及びｔｍに、記録媒体１０が外部装置２に対して出し入れされたものとする。また、時刻ｔｉにおいて、次回ディスク番号１４２は、「１」であるものとする。また、以下の説明では、説明の便宜上、時刻ｔｉから時刻ｔｌの間を中心に説明する。
【００５３】
まず、時刻ｔｉにおいて、ディスク切り替え手段１５０は、現在ディスク番号１４１を「１」に更新する（Ｓ２１）。そのため、ディスク１７１が外部装置２のアクセス対象となる（Ｓ２２）。また、並行して、経過時間計測手段１３０は、経過時間の計測を開始する。このとき、時刻ｔｉに切替上限時間１４５を加算した時刻ｔｋまでの切替時間帯Ｌ５が定まる。そして、時刻ｔｊにおいて、ディスク切り替え手段１５０は、次回ディスク番号１４２を「２」に更新する（Ｓ２３）。
【００５４】
そして、時刻ｔｋにおいて、ディスク切り替え手段１５０は、経過時間が切替上限時間１４５を超えると判定する（Ｓ２８）。そのため、ディスク切り替え手段１５０は、次回ディスク番号１４２を１に更新する（Ｓ２９）。
【００５５】
その後、時刻ｔｌにおいて、記録媒体１０が出し入れされたものとする。ここで、時刻ｔｌは、切替時間帯Ｌ５に含まれない。また、記録媒体１０が再度挿入された時点での次回ディスク番号１４２は、「１」である。そのため、ディスク切り替え手段１５０は、現在ディスク番号１４１を次回ディスク番号１４２の値である１に更新する（Ｓ２１）。そのため、引き続き、ディスク１７１が外部装置２のアクセス対象となる（Ｓ２２）。
【００５６】
以降、記録媒体１０が出し入れされる時刻は、切替時間帯Ｌ６及びＬ７に含まれないため、引き続き、アクセス対象が同じディスクへとなる。
【００５７】
このように、本発明の実施の形態２により、外部装置へ接続された直後の処理コストを減少させることができる。その理由は、接続中に次回接続された際の記憶領域を決定しておき、接続直後は、次回アクセス対象として決定済みの記憶領域についてアクセス設定を行うためである。特に、過渡現象による判定が不要なためである。特に、特許文献１では、通電の遮断時間を検出するために過渡現象回路が必要となり、回路規模が増大する。これに対して、本発明の実施の形態２では、過渡現象回路が不要となり、内蔵するタイマを流用するため、回路規模は相対的に小さくすることができる。そのため、記録媒体が挿入されてから、取り出されるまでの時間から、当該記録媒体における次回アクセス対象のディスク番号を決めることができる。
【００５８】
＜発明の実施の形態３＞
図８は、本発明の実施の形態３にかかる記録媒体１０ａの構成を示すブロック図である。本発明の実施の形態３にかかる記録媒体１０ａは、本発明の実施の形態２にかかる記録媒体１０を変更して、記憶領域への書き込みを禁止するためのいわゆるプロテクトスイッチを利用するものである。具体的には、プロテクトスイッチがオフの時は、記録媒体１０ａへの情報の書込み効率を良くするために、全てのディスクをアクセス対象とし、プロテクトスイッチがオンの時は、記録媒体１０ａに格納されている複数の記憶領域の中から１つを選択できる手段を追加している。以下では、本発明の実施の形態２との違いを中心に説明し、本発明の実施の形態２と同様の部分については、説明を省略する。
【００５９】
記録媒体１０ａは、プロテクトスイッチ切り替え検知手段１８１、プロテクトスイッチ１８２及び一括起動情報１７５をさらに備える。
【００６０】
プロテクトスイッチ１８２は、記憶領域への書き込みの可否を切り替える書込み可否スイッチである。例えば、記録媒体１０ａがＳＤカードである場合は、標準で備わっているものである。
【００６１】
プロテクトスイッチ切り替え検知手段１８１は、プロテクトスイッチ１８２の切り替えを検知し、検知した結果をディスク切り替え手段１５０及びディスク管理手段１６０ａに通知する。
【００６２】
一括起動情報１７５は、外部装置２に提供しない記憶領域である。一括起動情報１７５は、例えば、フラッシュメモリである。一括起動情報１７５は、複数の記憶領域の内、２以上の記憶領域を外部装置２にアクセス可能に起動するための情報である。ここでは、一括起動情報１７５は、ディスク１７１乃至１７４の全てを外部装置２へのアクセス対象とするための起動情報であるものとする。
【００６３】
図９は、本発明の実施の形態３にかかる一括起動情報１７５の内部構成を示すブロック図である。一括起動情報１７５は、複数ディスク用マスターブートレコードパーティションテーブル２１１及び複数ディスク用パーティションブートセクタ２１２を備える。また、複数ディスク用マスターブートレコードパーティションテーブル２１１及び複数ディスク用パーティションブートセクタ２１２は、ディスク１７１乃至１７４の全てを起動するために必要な起動情報２１３である。
【００６４】
図８に戻り、ディスク管理手段１６０ａは、外部装置２からのアクセス対象である記憶領域が２以上である場合、一括起動情報１７５を用いて、２以上の記憶領域を外部装置２からのアクセス対象として設定する。特に、ディスク管理手段１６０ａは、プロテクトスイッチ１８２が書き込み可を示す場合、一括起動情報１７５を用いて、２以上の記憶領域を書き込み可能に設定し、プロテクトスイッチ１８２が書き込み不可を示す場合、次回アクセス対象の記憶領域に格納された当該記憶領域を起動するための起動情報２０７を用いて、次回アクセス対象の記憶領域を外部装置２から参照可能に設定する。つまり、ディスク管理手段１６０ａは、プロテクトスイッチ切り替え検知手段１８１から通知されるプロテクトスイッチ１８２の状態情報から、ディスク１７１乃至１７４の各ディスクの起動情報２０７と、一括起動情報１７５のいずれを用いて起動するかを判定する。
【００６５】
図１０は、本発明の実施の形態３にかかる記録媒体をプロテクトオフの場合に出し入れした場合における決定されるディスクの変化を示すタイミングチャートである。ここでは、記録媒体１０が外部装置２に挿入された後、出し入れが２回されたものとする。図１０に示すように、プロテクトスイッチ１８２がオフの場合は、記録媒体１０ａは、ディスク１７１乃至１７４の全てを外部装置２へアクセス対象として設定する。そのため、外部装置２は、複数のディスクを認識することができる。
【００６６】
このとき、ディスク１７１乃至１７４の各ディスクの起動情報２０７だけでは、複数のディスクを一括して起動させることはできない。そこで、本発明の実施の形態３では、複数のディスクを一括して起動させる場合、すなわち、プロテクトスイッチ１８２がオフである場合に一括起動情報１７５を用いる。
【００６７】
尚、プロテクトスイッチ１８２がオンの場合は、上述した図６及び図７と同様の変化を示すため、説明を省略する。
【００６８】
そのため、本発明の実施の形態３にかかる記録媒体１０ａの利用形態としては、例えば、データ書き込み時には、プロテクトスイッチ１８２をオフにして全てのディスクに対してまとめて処理を行い、データ読み出し時には、プロテクトスイッチ１８２をオンにしてディスクごとに切り替えて処理を行うことができる。
【００６９】
＜発明の実施の形態４＞
図１１は、本発明の実施の形態４にかかる記録媒体１０ｂの構成を示すブロック図である。本発明の実施の形態４にかかる記録媒体１０ｂは、本発明の実施の形態２にかかる記録媒体１０を変更して、次回アクセス対象のディスク番号を表示する次回ディスク番号表示手段１９１及び表示装置１９２を追加したものである。以下では、本発明の実施の形態２との違いを中心に説明し、本発明の実施の形態２と同様の部分については、説明を省略する。
【００７０】
ディスク切り替え手段１５０ａは、ディスク切り替え手段１５０の機能に加え、次回ディスク番号１４２を次回ディスク番号表示手段１９１へ通知する。例えば、ディスク切り替え手段１５０ａは、次回ディスク番号１４２を更新したタイミングで通知するとよい。
【００７１】
次回ディスク番号表示手段１９１は、ディスク切り替え手段１５０ａからの通知により、次回ディスク番号１４２の値を表示用の信号に変換し、表示装置１９２へ出力する。
【００７２】
表示装置１９２は、次回アクセス対象である記憶領域を識別する情報を表示する。つまり、表示装置１９２は、次回ディスク番号表示手段１９１からの表示用の信号を受け付け、当該信号に応じて表示を行う。図１２は、本発明の実施の形態４にかかる次回アクセス対象ディスクの表示例を示す図である。図１２に示す表示装置１９２は、ＬＥＤ２２１乃至２２４を有する。例えば、ＬＥＤ２２１乃至２２４は、ディスク１７１乃至１７４にそれぞれ対応する。尚、図１２では、次回ディスク番号１４２の値が１である場合に、ＬＥＤ２２１が点灯することを示す。
【００７３】
このように、本発明の実施の形態４では、次回の外部装置２との接続時のディスク番号を表示するため、利用者にディスクの出し入れのタイミングを正確に伝えることができる。そのため、どのタイミングで記録媒体１０ｂを外部装置２から取り出せばよいかがわかり、不要な出し入れを防ぐことができる。
【００７４】
＜発明の実施の形態５＞
図１３は、本発明の実施の形態５にかかる記録媒体１０ｃの構成を示すブロック図である。本発明の実施の形態５にかかる記録媒体１０ｃは、記録媒体１０に記録媒体１０ａ及び１０ｂの追加機能を併せたものである。そのため、本発明の実施の形態２、３及び４の効果を併せて奏することができる。尚、図１３の記録媒体１０ｃは、上述した図３、図８及び図１１の構成と同様であるため、説明を省略する。
【００７５】
＜発明の実施の形態６＞
上述した特許文献１では、記録媒体内の記憶領域の切り替えの順番が固定しているため、隣接しない記憶領域への切り替えを行うには、ディスクの出し入れを数回行わなければならなかった。そこで、本発明の実施の形態６は、上述した発明の実施の形態２の経過時間計測手段１３０と、ディスク切り替え手段１５０とに変更を加え、複数の記憶領域を切り替える順番を可変にしたものである。尚、以下では、本発明の実施の形態２との違いを中心に説明し、本発明の実施の形態２と同様の部分については、図示及び説明を省略する。
【００７６】
本発明の実施の形態６にかかる経過時間計測手段は、経過時間が所定時間を超える場合、経過時間をリセットし、当該リセット時点からの経過時間を計測する。本発明の実施の形態６にかかる決定手段は、経過時間が所定時間を超える場合、直前に決定した記憶領域以外の記憶領域を次回アクセス対象として決定する。
【００７７】
図１４は、本発明の実施の形態６にかかる記録媒体の記憶領域切り替え方法の流れを示すフローチャートである。図１４は、上述した図５のフローチャートに一部変更を加えたものである。そのため、変更部分を中心に説明する。
【００７８】
ステップＳ２３ａにおいて、ディスク切り替え手段１５０は、次回ディスク番号１４２を現在ディスク番号１４１＋（上限ディスク番号１４３−下限ディスク番号１４４）の値で更新する。具体的には、ディスク切り替え手段１５０は、記憶手段１４０から現在ディスク番号１４１を読み出し、現在ディスク番号１４１に（上限ディスク番号１４３−下限ディスク番号１４４）を加算した値で次回ディスク番号１４２を上書きするが、ステップＳ２４において次回ディスク番号１４２が上限ディスク番号１４３より大きいと判定した場合は、ステップＳ２５ａを行う。ステップＳ２５ａは、次回ディスク番号１４２を次回ディスク番号１４２−（上限ディスク番号１４３＋下限ディスク番号１４４＋１）の値で上書きする。
【００７９】
また、ステップＳ２８において、経過時間が切替上限時間１４５以上であると判定した場合、ディスク切り替え手段１５０は、経過時間計測手段１３０に対して経過時間をリセットさせる指示を行う（Ｓ２８ａ）。
【００８０】
そして、ステップＳ３０において次回ディスク番号１４２が下限ディスク番号１４４より小さいと判定した場合又はステップＳ３１の処理後に、ディスク切り替え手段１５０は、次回ディスク番号１４２と現在ディスク番号１４１とが等しいか否かを判定する（Ｓ３２）。具体的には、ディスク切り替え手段１５０は、記憶手段１４０から現在ディスク番号１４１及び次回ディスク番号１４２を読み出し、現在ディスク番号１４１と次回ディスク番号１４２とを比較する。次回ディスク番号１４２と現在ディスク番号１４１とが異なると判定した場合、ステップＳ２６へ戻り、次回ディスク番号１４２と現在ディスク番号１４１とが等しいと判定した場合、処理を終了する。
【００８１】
尚、ここでは、ステップＳ２８において切替上限時間１４５を経過時間の比較対象としたが、これに限定されない。ステップＳ２８における経過時間の比較対象は、任意の時間であればよく、さらに、可変なものであってもよい。例えば、次回ディスク番号１４２の値に応じて変更しても構わない。つまり、記憶領域ごとに次回アクセス対象とする時間帯を変更しても構わない。又は、経過時間の比較対象を任意に変更させても構わない。
【００８２】
これにより、所定時間が経過するごとに次回アクセス対象のディスクが変更し、外部装置２から記録媒体１０を取り出すタイミングにより、次回接続した際のアクセス対象を変更させることができる。尚、本発明の実施の形態６は、本発明の実施の形態３に変更を加えても実現可能である。
【００８３】
さらに、本発明の実施の形態６を本発明の実施の形態４又は５の次回ディスク番号表示手段１９１及び表示装置１９２に適用することにより、次回アクセス対象のディスクの変更の状態を表示することができる。これにより、利用者にディスクの出し入れのタイミングを正確に伝えることができる。そのため、どのタイミングで記録媒体１０ｂを外部装置２から取り出すと所望のディスクへ切り替えることができるかがわかり、出し入れの回数を減らすことができる。
【００８４】
図１５は、本発明の実施の形態６にかかる次回アクセス対象ディスクの表示の変化例を示す図である。図１５は、外部装置２への接続時、次回アクセス対象のディスク番号が現在ディスク番号＋３（上限ディスク番号１４３−下限ディスク番号１４４）を示しており、時間が経つごとに、＋２、＋１、０という順に変化する例を示す。表示装置１９２ａは、ＬＥＤ２２１ａ乃至２２４ａを備え、現在のアクセス対象のディスク番号が１のとき、ディスク１７４であるディスク番号４に対応するＬＥＤ２２４ａが点灯していることを示す。続いて、表示装置１９２ｂは、ＬＥＤ２２１ｂ乃至２２４ｂを備え、表示装置１９２ａから所定時間経過後の状態を示す。このとき、ディスク１７３であるディスク番号３に対応するＬＥＤ２２３ｂが点灯していることを示す。続いて、表示装置１９２ｃは、ＬＥＤ２２１ｃ乃至２２４ｃを備え、表示装置１９２ｂから所定時間経過後の状態を示す。このとき、ディスク１７２であるディスク番号２に対応するＬＥＤ２２２ｃが点灯していることを示す。続いて、表示装置１９２ｄは、ＬＥＤ２２１ｄ乃至２２４ｄを備え、表示装置１９２ｃから所定時間経過後の状態を示す。このとき、ディスク１７１であるディスク番号１に対応するＬＥＤ２２１ｄが点灯していることを示す。
【００８５】
このように、本発明の実施の形態６では、記録媒体の接続時間が短い場合、ディスク番号が隣接するディスクへ切り替えるのではなく、例えば、ディスク番号が離れたディスクへ切り替えることもできる。そのため、任意の記憶領域の切り替えする場合、記録媒体の出し入れを１回で所望のディスクへ切り替えることが可能となる。
【００８６】
＜その他の発明の実施の形態＞
上述した本発明の実施の形態１乃至６では、記録媒体としてＳＤカードを用いて説明したが、これに限定されない。
【００８７】
尚、本発明は、別の応用例としては、複数の記憶領域に異なる起動ＯＳ（Operating System）を格納し、任意のＯＳで起動するシステムを実現できる。その他、アプリケーションソフトウェアごとに記憶領域を割り当て、任意のアプリケーションソフトウェアで起動するシステムにも使用できる。
【００８８】
尚、本発明の実施の形態２にかかる記憶手段１４０は、現在ディスク番号１４１を有さなくても構わない。その場合、図５のステップＳ２１は不要となり、ステップＳ２２において、ディスク切り替え手段１５０は、次回ディスク番号１４２をディスク管理手段１６０へ通知するようにするとよい。具体的には、ディスク切り替え手段１５０は、記憶手段１４０から次回ディスク番号１４２を読み出し、読み出した次回ディスク番号１４２の値をディスク管理手段１６０へ通知することで実現可能である。
【００８９】
さらに、本発明は上述した実施の形態のみに限定されるものではなく、既に述べた本発明の要旨を逸脱しない範囲において種々の変更が可能であることは勿論である。
【符号の説明】
【００９０】
１  記録媒体
１１ａ  記憶領域
１１ｂ  記憶領域
１１ｎ  記憶領域
１２  経過時間計測手段
１３  決定手段
１４  アクセス設定手段
２  外部装置
１０  記録媒体
１０ａ  記録媒体
１０ｂ  記録媒体
１０ｃ  記録媒体
１１０  端子
１２０  外部装置接続検出手段
１３０  経過時間計測手段
１４０  記憶手段
１４１  現在ディスク番号
１４２  次回ディスク番号
１４３  上限ディスク番号
１４４  下限ディスク番号
１４５  切替上限時間
１５０  ディスク切り替え手段
１５０ａ  ディスク切り替え手段
１６０  ディスク管理手段
１６０ａ  ディスク管理手段
１７１  ディスク
１７２  ディスク
１７３  ディスク
１７４  ディスク
１７５  一括起動情報
１８１  プロテクトスイッチ切り替え検知手段
１８２  プロテクトスイッチ
１９１  次回ディスク番号表示手段
１９２  表示装置
１９２ａ  表示装置
１９２ｂ  表示装置
１９２ｃ  表示装置
１９２ｄ  表示装置
２０１  マスターブートレコードパーティションテーブル
２０２  パーティションブートセクタ
２０３  ファイルアロケーションテーブルＡ
２０４  ファイルアロケーションテーブルＢ
２０５  ルートディレクトリ
２０６  データ領域
２０７  起動情報
２１１  複数ディスク用マスターブートレコードパーティションテーブル
２１２  複数ディスク用パーティションブートセクタ
２１３  起動情報
２２１  ＬＥＤ
２２１ａ  ＬＥＤ
２２１ｂ  ＬＥＤ
２２１ｃ  ＬＥＤ
２２１ｄ  ＬＥＤ
２２２  ＬＥＤ
２２２ａ  ＬＥＤ
２２２ｂ  ＬＥＤ
２２２ｃ  ＬＥＤ
２２２ｄ  ＬＥＤ
２２３  ＬＥＤ
２２３ａ  ＬＥＤ
２２３ｂ  ＬＥＤ
２２３ｃ  ＬＥＤ
２２３ｄ  ＬＥＤ
２２４  ＬＥＤ
２２４ａ  ＬＥＤ
２２４ｂ  ＬＥＤ
２２４ｃ  ＬＥＤ
２２４ｄ  ＬＥＤ
Ｌ１  切替時間帯
Ｌ２  切替時間帯
Ｌ３  切替時間帯
Ｌ４  切替時間帯
Ｌ５  切替時間帯
Ｌ６  切替時間帯
Ｌ７  切替時間帯
ｔａ  時刻
ｔｂ  時刻
ｔｃ  時刻
ｔｄ  時刻
ｔｅ  時刻
ｔｆ  時刻
ｔｇ  時刻
ｔｈ  時刻
ｔｉ  時刻
ｔｊ  時刻
ｔｋ  時刻
ｔｌ  時刻
ｔｍ  時刻
【図１】
2011100373.tif 000003
【図２】
2011100373.tif 000004
【図３】
2011100373.tif 000005
【図４】
2011100373.tif 000006
【図５】
2011100373.tif 000007
【図６】
2011100373.tif 000008
【図７】
2011100373.tif 000009
【図８】
2011100373.tif 000010
【図９】
2011100373.tif 000011
【図１０】
2011100373.tif 000012
【図１１】
2011100373.tif 000013
【図１２】
2011100373.tif 000014
【図１３】
2011100373.tif 000015
【図１４】
2011100373.tif 000016
【図１５】
2011100373.tif 000017